(57)【要約】【課題】天板に昇降し、天板に立って作業するといった一連の動作を行う際に、主脚の踏桟や天板の端部を確認しやすくする。【解決手段】可搬式作業台１は、一対の梯子状の主脚２間に天板３の短手側が架け渡される。この可搬式作業台１において、主脚２の踏桟２ｂの色、及び天板３の端部うち主脚２が取り付けられる端部３ａの色を黄色にし、天板３及び主脚２における他の部位の色（アルミニウム合金の地色）と異ならせている。これにより、天板３に昇降し、天板３に立って作業するといった一連の動作を行う際に、主脚２の踏桟２ｂや天板３の端部３ａが確認しやすくなる。【選択図】図４
2018193738.tif 000002
【特許請求の範囲】
【請求項１】
天板と、
前記天板の端部に取り付けられ、前記天板に昇降するのに使用される梯子状の主脚とを備え、
前記主脚の踏桟の色と、前記天板の端部のうち少なくとも前記主脚が取り付けられる端部の色とを、前記天板及び前記主脚における他の部位の色と異ならせていることを特徴とする作業台。
【請求項２】
前記主脚の前記踏桟の色と、前記天板の端部の色とを同色とすることを特徴とする請求項１に記載の作業台。
【請求項３】
前記主脚の前記踏桟と、前記天板の端部とが着色されていることを特徴とする請求項１又は２に記載の作業台。
【請求項４】
前記天板の端部においては、少なくとも上面と、前記踏桟の上方に位置する側面とがそれぞれ着色されるようにし、前記上面では辺に沿って帯状に着色されることを特徴とする請求項３に記載の作業台。
【請求項５】
前記主脚の前記踏桟の色と、前記天板の端部の色とを暖色系の色とすることを特徴とする請求項１乃至４のいずれか１項に記載の作業台。
【発明の詳細な説明】
【技術分野】
【０００１】
本発明は、建築工事現場等での作業に使用するのに好適な作業台に関する。
【背景技術】
【０００２】
建築工事現場等での作業に作業台が使用されることがある。この種の作業台の一例として、特許文献１には、一対の梯子状の主脚間に天板を架け渡し、天板の四隅に手摺支柱を立設した可搬式作業台であって、天板の周縁部の上方で一対の手摺桟と一対の短手方向用手摺桟とで囲むようにした可搬式作業台が開示されている。
【先行技術文献】
【特許文献】
【０００３】
【特許文献１】特開２００８−２５５５８６号公報
【発明の概要】
【発明が解決しようとする課題】
【０００４】
作業者は梯子状の主脚を使用して天板に昇降し、天板に立って作業するが、この一連の動作を行う際に、作業者は主脚の踏桟や天板の端部を確認する。
【０００５】
本発明は上記のような点に鑑みてなされたものであり、天板に昇降し、天板に立って作業するといった一連の動作を行う際に、主脚の踏桟や天板の端部を確認しやすくすることを目的とする。
【課題を解決するための手段】
【０００６】
本発明の作業台は、天板と、前記天板の端部に取り付けられ、前記天板に昇降するのに使用される梯子状の主脚とを備え、前記主脚の踏桟の色と、前記天板の端部のうち少なくとも前記主脚が取り付けられる端部の色とを、前記天板及び前記主脚における他の部位の色と異ならせていることを特徴とする。
【発明の効果】
【０００７】
本発明によれば、天板に昇降し、天板に立って作業するといった一連の動作を行う際に、主脚の踏桟や天板の端部が確認しやすくなる。
【図面の簡単な説明】
【０００８】
【図１Ａ】実施形態に係る可搬式作業台を示す正面図である。
【図１Ｂ】実施形態に係る可搬式作業台を示す左側面図である。
【図１Ｃ】実施形態に係る可搬式作業台の一部を示す平面図である。
【図２】短手側桟部材を示す図であり、（ａ）は平面図、（ｂ）は正面図、（ｃ）は右側面図である。
【図３】短手側桟部材を長手側桟部材に沿うように収納した状態を示す図である。
【図４】短手側桟部材を架け渡した状態を示す要部の斜視図である。
【図５】実施形態に係る可搬式作業台において一対の長手側桟部材のうちの片方及び一対の短手側桟部材で三方を囲んだ使用状態を示す要部の斜視図である。
【図６】支柱及び長手側桟部材の関係を示す図である。
【図７】天板の構成例を示す図である。
【発明を実施するための形態】
【０００９】
以下、添付図面を参照して、本発明の好適な実施形態について説明する。
図１Ａは実施形態に係る可搬式作業台１を示す正面図、図１Ｂは左側面図である。図１Ｃは実施形態に係る可搬式作業台１の一部を示す平面図である。
本実施形態に係る可搬式作業台１では、一対の梯子状の主脚２間に天板３の短手側が架け渡される。梯子状の主脚２は、一対の支柱２ａ間に複数本の踏桟２ｂが架設されて構成される。各主脚２は天板３に回動自在に取り付けられて、天板３の裏側に折り畳み収納可能になっている。天板３と主脚２との間には、途中で屈曲自在なステイ４が介装される。
【００１０】
天板３は矩形状の板材であり、その四隅には、断面矩形の管体からなる手掛かり棒５が立設される。手掛かり棒５は、作業者が主脚２を使って昇降したり、天板３上で作業したりするときに手を掛けるのに利用される。手掛かり棒５は、取付金具６を介して主脚２に取り付けられて、主脚２に沿って折り畳み収納可能になっている。
これら主脚２、天板３及び手掛かり棒５には、例えばアルミニウム合金が使用され、十分な強度を確保しつつ軽量化が図られている。
【００１１】
ここで、図４、図５にドット模様で示すように、主脚２の踏桟２ｂと、天板３の端部のうち主脚２が取り付けられる短辺側の端部３ａとが着色されている。具体的には、主脚２の踏桟２ｂと天板３の端部３ａとが、カラーアルマイト処理又は塗装により黄色に着色されている。天板３の端部３ａにおいては、少なくとも上面３ｂと、踏桟２ｂの上方に位置する側面３ｃとがそれぞれ着色されるようにし、上面３ｂでは短辺に沿って帯状に着色される。なお、天板３及び主脚２における他の部位は、アルミニウム合金の地色となっている。
【００１２】
次に、天板３の上方の作業空間を、一対の長手側桟部材８、８と、一対の短手側桟部材９、９とにより囲む構成を説明する。
手掛かり棒５に被せるようにして、鞘管からなる支柱７が設けられる。支柱７は、例えば樹脂製の断面矩形の管体からなり、手掛かり棒５の外周面と密着する内周面を有する。手掛かり棒５と支柱７とは、例えば両者を貫通するボルトにより固定される。樹脂製の支柱７は、主脚２の踏桟２ａの色及び天板３の端部３ａの色に合わせて黄色にしている。
支柱７は、以下に詳述するように、天板３の四隅の手掛かり棒５を利用して、天板３の周縁部の上方において、天板３の長手方向に延伸する一対の長手側桟部材８、８と、天板３の短手方向に延伸する一対の短手側桟部材９、９とを支承するのに用いられる。
【００１３】
支柱７の上部、換言すれば手掛かり棒５の上方には、一対の長手側桟部材８、８が取り付けられる。
長手側桟部材８は、例えば樹脂製の断面矩形の管体からなり、その両端が支柱７の上部に取付金具１０を介して回動可能に支持されるとともに、中央部で分割されている。これにより、長手側桟部材８の分割体８ａ、８ｂを、支柱７及び手掛かり棒５に沿うように折り畳み収納することができる。樹脂製の長手側桟部材８は、主脚２の踏桟２ｂの色及び天板３の端部３ａの色に合わせて黄色にしている。
そして、天板３の四隅で手掛かり棒５及びそれに伴って支柱７を立てた状態で、長手側桟部材８の分割体８ａ、８ｂを水平位置に回動させることにより、端面同士が衝合して、長手側桟部材８を架け渡した状態とすることができる。長手側桟部材８の分割体８ａ、８ｂは、例えばスライド構造の連結部材１１で脱着可能に連結される。
【００１４】
長手側桟部材８には、それぞれ短手側桟部材９が取り付けられる。なお、一対の短手側桟部材９は、その形状や周辺構造（長手側桟部材８への取り付け構造や係止構造）について、天板３の中心に対して点対称の関係を有する。
長手側桟部材８（分割体８ａ）の架け渡した状態での上面（以下、単に上面と呼ぶ）８ｃには、支柱７に近い位置で、短手側桟部材９の基端部９ａが回動可能に支持される。短手側桟部材９は、例えばアルミニウム合金又はステンレス鋼等の金属棒で形成され、図２に示すように、基端部９ａを下向きに９０度に折り曲げ、長手側桟部材８への回動支持部として利用する。
このように長手側桟部材８の上面８ｃで短手側桟部材９の基端部９ａが回動可能に支持されるので、短手側桟部材９を、長手側桟部材８に沿うように収納することができる。また、長手側桟部材８を架け渡した状態とした場合、該長手側桟部材８で支持される短手側桟部材９は垂直軸まわりに回動可能であり、対向位置の長手側桟部材８に向けて水平方向に回動させることができる。
【００１５】
また、図２に示すように、短手側桟部材９の先端部も下向きに９０度に折り曲げ、長手側桟部材８への係止突起９ｂとして利用する。
図３に示すように、長手側桟部材８（分割体８ａ）の上面８ｃには係止孔１２が形成されており、自身で支持する短手側桟部材９の係止突起９ｂを挿入することができる。これにより、短手側桟部材９を収納した状態で保持することができる。
また、図４に示すように、長手側桟部材８（分割体８ｂ）の上面８ｃには係止孔１３が形成されており、対向位置の長手側桟部材８で支持される短手側桟部材９の係止突起９ｂを挿入することができる。すなわち、短手側桟部材９を対向位置の長手側桟部材８に向けて水平方向に９０度程度回動させることにより、短手側桟部材９の係止突起９ｂを係止孔１３に挿入することができる。これにより、短手側桟部材９を架け渡した状態で保持することができる。
【００１６】
なお、図２に示すように、短手側桟部材９の適所をコ字形に突出させて取手部９ｃを形成するようにしてもよい。取手部９ｃの突出幅は、突出により形成される空間に指先が差し入れやすいものであると同時に、作業台全体を折り畳んだときに邪魔になることのない程度のものに設定する。
【００１７】
ここまで説明した構成においては、天板３の四隅で手掛かり棒５及びそれに伴って支柱７を立てた状態で、一対の長手側桟部材８、８を架け渡すことを前提として、一対の短手側桟部材９、９を架け渡すことができる。
本実施形態に係る可搬式作業台では、図５に示すように、一対の長手側桟部材８、８のうちの片方だけを架け渡した状態でも、一対の短手側桟部材９、９を架け渡すことができるようになっている。
以下、一対の長手側桟部材８、８のうち、架け渡した状態の長手側桟部材を一方の長手側桟部材８Ａと記し、支柱７及び手掛かり棒５に沿うように収納した状態の長手側桟部材を他方の長手側桟部材８Ｂと記して、詳細を説明する。
【００１８】
一方の長手側桟部材８Ａで支持される短手側桟部材９は、既述したとおり、対向位置の他方の長手側桟部材８Ｂに向けて水平方向に回動させることができる。
しかしながら、他方の長手側桟部材８Ｂは、支柱７及び手掛かり棒５に沿うように収納されているため、係止孔１３の位置が、短手側桟部材９の係止突起９ｂを挿入することができない位置となっている。
【００１９】
そこで、本実施形態では、取付金具１０（分割体８ｂを支持する取付金具）の頂面に、短手側桟部材９の係止突起９ｂを挿入する係止孔１４を形成している。係止孔１４は、長手側桟部材８を架け渡した状態、及び長手側桟部材８を支柱７及び手掛かり棒５に沿うように収納した状態のいずれにおいても位置が不変であり、本発明でいう短手側桟部材を係止するための係止部に相当する。これにより、短手側桟部材９を対向位置の他方の長手側桟部材８Ｂに向けて水平方向に９０度＋α程度回動させることにより、その先端部の係止突起９ｂを係止孔１４に挿入することができる。なお、αは、係止孔１３と係止孔１４との位置ずれ（図４を参照のこと）に相当する角度を意味する。
【００２０】
この場合に、図６に示すように、取付金具１０と長手側桟部材８との取付構造によっては、取付金具１０の頂面の係止孔１４の下部が長手側桟部材８により閉ざされてしまう。そこで、長手側桟部材８を支柱７及び手掛かり棒５に沿うように収納した状態では、係止孔１４が閉ざされないように長手側桟部材８の端部に逃げ８ｄを形成する等しておく。
なお、係止孔１３と係止孔１４とは、理論上は係止突起９ｂの移動軌跡上、すなわち短手側桟部材９の基端部９ａを中心とする同円上に配置する必要があるが、各部の遊びにより係止突起９ｂを挿入できるのであれば、必ずしも同円上になくてもよい。
【００２１】
一方、他方の長手側桟部材８Ｂで支持される短手側桟部材９は、水平軸まわりに回動可能であり、対向位置の一方の長手側桟部材８Ａに向けて垂直方向に回動させることができる。
この場合、短手側桟部材９の係止突起９ｂは、対向位置の一方の長手側桟部材８Ａの上面８ｃに形成された係止孔１３に対して９０度位相がずれた位置関係となる。
そこで、本実施形態では、図２に示すように、短手側桟部材９の先端部に、係止突起９ｂとは９０度位相をずらしたかたちで第２の係止突起９ｄを設けている。これにより、短手側桟部材９を対向位置の一方の長手側桟部材８Ｂに向けて垂直方向に回動させることにより、その先端部の第２の係止突起９ｄを係止孔１３に挿入することができる。なお、本実施形態では、係止突起９ｂが本発明でいう第１の係止部に相当し、第２の係止突起９ｄが本発明でいう第２の係止部に相当する。
【００２２】
本実施形態に係る可搬式作業台１は、一対の長手側桟部材８、８及び一対の短手側桟部材９、９で四方を囲んだ使用状態と、一対の長手側桟部材８、８のうちの片方及び一対の短手側桟部材９、９で三方を囲んだ使用状態とに選択的に設置することができる。
通常の使用状態では、四方を囲んだ状態とすることにより、天板３に立つ作業者は、上半身がいずれかの桟部材８、９に近づいたときには天板３の周縁部に近い位置に立っていることを感知することができる。そして、天板３の長手側を壁面等に近接させる使用状態では、壁面側の長手側桟部材８を収納状態として、作業性を高めることができる。このときも、壁面側以外の三方では、天板３に立つ作業者は、上半身がいずれかの桟部材８、９に近づいたときには天板３の周縁部に近づいていることを感知することができる。
【００２３】
なお、本実施形態に係る可搬式作業台１では、二方を囲んだ使用状態とすることも可能である。例えば一対の長手側桟部材８、８を掛け渡し、一対の短手側桟部材９、９を収納した状態とすることができる。或いは、一対の長手側桟部材８、８を収納し、一対の短手側桟部材９、９を掛け渡した状態とすることができる。すなわち、一対の長手側桟部材８を収納した状態では、短手側桟部材９を対向位置の長手側桟部材８に向けて垂直方向に回動させることができ、その先端部の係止突起９ｂを、取付金具１０の頂面の係止孔１４に挿入することができる。
さらにいえば、一対の長手側桟部材８、８及び一対の短手側桟部材９、９のうちいずれか１本だけを掛け渡した使用状態とすることもできる。
【００２４】
長手側桟部材８及び短手側桟部材９を含む各部の形状や構造は一例に過ぎず、これに限定されるものではない。例えば手掛かり棒５に支柱７を別途設ける構成を説明したが、手掛かり棒５で直接的に一対の長手側桟部材８、８及び一対の短手側桟部材９、９を支承するような形態としてもよい。
【００２５】
また、係止孔１３と係止孔１４とを別個に配設する構成としたが、それに限定されるものではなく、両者を共用とする形態としてもよい。例えば図６に一点鎖線で示すように、長手側桟部材８の上面８ｃであって、取付金具１０の頂面の係止孔１４の真下に対応する位置に穴１５を形成しておく。この場合、図６に示すように長手側桟部材８を架け渡した状態であっても、対向位置の長手側桟部材８で支持される短手側桟部材９の係止突起９ｂや第２の係止突起９ｄを係止孔１４から穴１５に挿入することができ、上記実施形態でいう係止孔１３は不要となる。
【００２６】
以上述べたように、本実施形態に係る可搬式作業台１では、主脚２の踏桟２ｂと、天板３の端部うち主脚２が取り付けられる端部３ａとを黄色にし、天板３及び主脚２における他の部位の色（アルミニウム合金の地色）と異ならせている。これにより、天板３に昇降し、天板３に立って作業するといった一連の動作を行う際に、主脚２の踏桟２ｂや天板３の端部３ａが確認しやすくなる。
具体的に述べれば、作業者が天板３に昇降する際に、踏桟２ｂの視認性が向上し、確実に踏桟２ｂに順次足をかけていくことができる。また、踏桟２ｂだけでなく、天板３の端部３ａも着色することにより、天板３の端部３ａを視認した上で、天板３に登ることができる。特に踏桟２ｂの色と、踏桟２ｂの上方に位置する端部３ａの色とを同色とすることにより、作業者は、同色の踏桟２ｂから同色の天板３の端部３ａへと戸惑うことなく自然に足をかけることができる。
【００２７】
また、天板３に立って作業する作業者は、天板３の端部３ａの位置を視認することができるので、上述したような桟部材８、９への接近の感知と合わせて、天板３上の作業領域を容易に把握できるようになる。
本実施形態では、天板３の端部うち主脚２が取り付けられる短辺側の端部３ａ、換言すれば昇降位置となる端部３ａだけに着色している。天板３上で作業している間に、作業者は何度も向きを変えることがあり、天板３にどの辺が昇降位置であったかが瞬間的に判断できなくなることもありえる。この場合でも、天板３の着色された端部３ａを視認するだけで、昇降位置を容易に把握することができる。
【００２８】
以上、本発明を実施形態と共に説明したが、上記実施形態は本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
上記実施形態では、一対の梯子状の主脚２間に天板３が架け渡された作業台を例にしたが、本発明が適用可能な作業台の一例に過ぎない。本発明は、天板と、天板の端部に取り付けられ、天板に昇降するのに使用される梯子状の主脚とを備える作業台であれば適用可能であり、各部の具体的形状等は限定されるものでない。例えば天板に昇降するのに使用される梯子状の主脚を一つだけ備える脚立のような作業台にも本発明は適用可能である。
【００２９】
また、上記実施形態では、天板３を簡略化して模式的に図示したが、天板３は、例えば図７に示すように、四辺のうちの一対の辺を構成するフレーム３１、３１と、他の一対の辺を構成するフレーム３２、３２と、これらフレーム３１、３２により支持される板材３３とにより構成されることがある。例えばフレーム３１、３１側の端部３ａに主脚２が取り付けられる場合、黄色に着色したフレーム３１、３１を、フレーム３２や板材３３に組み付けるようにしてもよい。
【００３０】
また、上記実施形態では、天板３の端部のうち主脚２が取り付けられる短辺側の端部３ａだけに着色する例にしたが、天板３のすべて（四辺）の端部に着色してもよい。この場合、天板３上で作業している作業者は、天板３の四辺を視認することができる。
また、上記実施形態では、主脚２の踏桟２ｂの色と、天板３の端部３ａの色とを黄色としたが、黄色以外の色としてもよい。作業台が使用される工事現場等は、グレーや金属の地色のような無彩色が多い環境であるので、視認性を高めるべく、彩度が高い暖色系の色である黄色、赤色、オレンジが好ましい。
また、上記実施形態では、主脚２の踏桟２ｂや天板３の端部３ａにカラーアルマイト処理又は塗装により直接的に着色する構成としたが、これに限られず、例えば踏桟２ｂや端部３ａに着色したカバー（金属製でもよいし、樹脂製でもよい）を装着したり、着色したシールを貼着したりする形態としてもよい。
【符号の説明】
【００３１】
１：可搬式作業台、２：主脚、３：天板、５：手掛かり棒、７：支柱、８：長手側桟部材、９：短手側桟部材、９ｂ：係止突起、９ｄ：第２の係止突起、１３、１４：係止孔
【図１Ａ】
2018193738.tif 000003
【図１Ｂ】
2018193738.tif 000004
【図１Ｃ】
2018193738.tif 000005
【図２】
2018193738.tif 000006
【図３】
2018193738.tif 000007
【図４】
2018193738.tif 000008
【図５】
2018193738.tif 000009
【図６】
2018193738.tif 000010
【図７】
2018193738.tif 000011